(57)【要約】  拡張マルチメディアメッセージングサービスセンター（ＭＭＳ＋センター）は、カメラ機能付移動電話から送信されるＭＭＳメッセージに含まれる写真を処理する。このセンターは、ＭＭＳメッセージ内のオリジナル写真とともに、カメラ機能付移動電話についての位置情報を受信する。この位置情報を利用することによって、移動電話の位置に関連する画像が画像データベースから抽出される。写真マニュピレータは、抽出された画像をオリジナル写真に貼り付けることによって修正された写真を生成する。修正された写真のプレビューは、確認用に移動電話へ送信される。プレビューが承認される場合、ＭＭＳ＋センターは、その修正された写真を受信先装置へ送信する。
2007537525.tif 000002
【特許請求の範囲】
【請求項１】
カメラ機能付移動電話から送信されるマルチメディアメッセージに含まれる写真を修整する方法であって、
サービスセンターにおいて、前記マルチメディアメッセージ内のオリジナル写真を受信する工程と、
画像データベースから画像を抽出する工程と、
前記オリジナル写真に前記画像を貼り付けることによって、修正された写真を生成する工程と
を備えることを特徴とする方法。
【請求項２】
前記マルチメディアメッセージは、更に、前記カメラ機能付移動電話についての位置情報を含み、
前記抽出する工程は、前記位置情報を利用して、前記データベースから、前記移動電話の位置に関連する画像を抽出することを含む
ことを特徴とする請求項１に記載の方法。
【請求項３】
前記マルチメディアメッセージは、更に、前記カメラ機能付移動電話についてのカメラタイプに関する情報を含み、
前記抽出する工程は、前記カメラタイプに関する情報を利用して、前記データベースから、前記カメラ機能付移動電話の前記カメラタイプに関連する画像を抽出することを含む
ことを特徴とする請求項２に記載の方法。
【請求項４】
前記写真は、背景領域と、少なくとも一人の人物を含む前景領域を含み、
前記貼り付ける工程は、前記前景領域の前記人物の前記画像を維持しながら、前記写真の背景領域を、前記データベースから抽出される画像で置き換えることを含む
ことを特徴とする請求項２に記載の方法。
【請求項５】
前記写真は、少なくとも一人の人物の画像を含み、
前記抽出する工程は、有名人の画像を抽出することを含み、
前記貼り付ける工程は、前記写真の前記人物の前記画像の隣に、前記データベースから抽出される前記有名人の画像を貼り付けることを含む
ことを特徴とする請求項１に記載の方法。
【請求項６】
前記修正された写真を受信先装置へ送信する工程を更に備える
ことを特徴とする請求項１に記載の方法。
【請求項７】
前記修正された写真を受信先装置へ送信する工程の前に、更に、
前記カメラ機能付移動電話へ前記修正された写真を送信する工程と、
前記カメラ機能付移動電話から、前記修正された写真が前記受信先装置へ送信するために選択されていることを示す指示を受信する工程と
を備えることを特徴とする請求項６に記載の方法。
【請求項８】
カメラ機能付移動電話から送信されるマルチメディアメッセージに含まれる写真を自動的に修整する方法であって、
サービスセンターにおいて、オリジナル写真と前記カメラ機能付移動電話についての位置情報を含む前記マルチメディアメッセージを受信する工程と、
前記位置情報を使用して、画像データベースから、前記移動電話の位置に関連する画像を抽出する工程と、
前記オリジナル写真に前記画像を貼り付けることによって、修正された写真を生成する工程と、
前記修正された写真を、前記カメラ機能付移動電話へ送信する工程と、
前記カメラ機能付移動電話から、前記修正された写真が受信先装置へ送信するために選択されたことを示す指示を受信する工程と、
前記修正された写真を前記受信先装置へ送信する工程と
を備えることを特徴とする方法。
【請求項９】
前記修正された写真を生成する工程では、前記オリジナル写真の特徴が強調され、
前記特徴は、視野、倍率、輝度、色、解像度及び透明度を含むグループから選択される
ことを特徴とする請求項８に記載の方法。
【請求項１０】
前記修正された写真を生成する工程では、前記画像の特徴を調整して、前記オリジナル写真に適合させ、
前記特徴は、視野、倍率、輝度、色、解像度及び透明度を含むグループから選択される
ことを特徴とする請求項８に記載の方法。
【請求項１１】
カメラ機能付電話から送信されるマルチメディアメッセージに含まれる写真を修整する方法であって、
前記サービスセンターにおいて、前記マルチメディアメッセージ内のオリジナル写真を受信する工程と、
前記オリジナル写真の特徴を強調することによって、修正された写真を生成する工程とを備え、
前記特徴は、視野、倍率、輝度、色、解像度及び透明度を含むグループから選択される
ことを特徴とする方法。
【請求項１２】
前記修正された写真を生成する工程は、
前記カメラ機能付移動電話の通知された位置を受信する工程と、
前記通知された位置を使用して、画像データベースから、前記移動電話の位置に関連する画像を抽出する工程と、
前記オリジナル写真と、前記データベースから抽出された前記画像の各画素同士の輝度及び色の差分を判定する工程と、
前記オリジナル写真と、前記抽出された画像の画素同士の輝度及び色の差分が閾値を超える場合、前記修正された写真において、前記オリジナル写真の前記画素の輝度及び色を保持する工程と、
前記オリジナル写真と、前記抽出された画像の画素同士の輝度及び色の差分が閾値を超えない場合、前記修正された写真において、前記データベースから抽出された前記画像の前記画素の輝度及び色を利用する工程と
を備えることを特徴とする方法。
【請求項１３】
カメラ機能付移動電話から送信されるマルチメディアメッセージに含まれる写真を自動的に修正する方法であって、
サービスセンターにおいて、オリジナル写真と前記カメラ機能付移動電話についての位置情報を含む前記マルチメディアメッセージを受信する工程と、
前記位置情報を使用して、画像データベースから、前記移動電話の位置に関連する複数の画像を抽出する工程と、
前記オリジナル写真の複数のコピーを作成して、前記複数の画像のそれぞれを前記オリジナル写真の異なるコピーに貼り付けることによって、複数の修正された写真を生成する工程と、
前記複数の修正された写真を、前記カメラ機能付移動電話へ送信する工程と、
前記カメラ機能付移動電話から、受信先装置へ送信するための、前記複数の修正された写真の１つの選択を受信する工程と、
前記選択された修正された写真を前記受信先装置へ送信する工程と
を備えることを特徴とする方法。
【請求項１４】
前記複数の修正された写真は、前記カメラ機能付移動電話に順次送信される
ことを特徴とする請求項１３に記載の方法。
【請求項１５】
前記複数の修正された写真は、１つの画像で前記カメラ機能付移動電話へ送信される
ことを特徴とする請求項１３に記載の方法。
【請求項１６】
カメラ機能付移動電話から送信されるマルチメディアメッセージに含まれる写真を修整するサービスセンターであって、
前記マルチメディアメッセージ内のオリジナル写真を受信する手段と、
画像のデータベースと、
前記データベースから抽出された画像を前記オリジナル写真に貼り付けることによって、修正された写真を生成する写真マニュピレータと
を備えることを特徴とするサービスセンター。
【請求項１７】
前記マルチメディアメッセージは、更に、前記カメラ機能付移動電話についての位置情報を含み、
前記位置情報は、前記データベースから、前記移動電話の位置に関連する画像を抽出するために利用される
ことを特徴とする請求項１６に記載のサービスセンター。
【請求項１８】
前記写真は、背景領域と、少なくとも一人の人物を含む前景領域を含み、
前記写真マニュピレータは、前記前景領域の前記人物の前記画像を維持しながら、前記写真の背景領域を、前記データベースから抽出される画像で置き換える手段を含む
ことを特徴とする請求項１７に記載のサービスセンター。
【請求項１９】
前記修正された写真を受信先装置へ送信する手段を更に備える
ことを特徴とする請求項１７に記載のサービスセンター。
【請求項２０】
前記カメラ機能付移動電話へ前記修正された写真を送信する手段と、
前記カメラ機能付移動電話から、前記修正された写真が前記受信先装置へ送信するために選択されていることを示す指示を受信する手段と
を更に備えることを特徴とする請求項１９に記載のサービスセンター。
【請求項２１】
ビデオ機能付移動電話から送信されるマルチメディアメッセージに含まれるビデオストリームを修整するサービスセンターであって、
前記ビデオ機能付移動電話からオリジナルビデオストリームを受信する手段と、
複数のビデオ画像を記憶するデータベースと、
前記オリジナルビデオストリームに前記データベースから抽出される複数のビデオ画像を貼り付けることによって、修正されたビデオストリームを生成するビデオマニュピレータと
を備えることを特徴とするサービスセンター。
【請求項２２】
前記修正されたビデオストリームを、前記ビデオ機能付移動電話へ送信する手段と、
前記ビデオ機能付移動電話から、前記修正されたビデオストリームが受信先装置へ送信するために選択されていることを示す指示を受信する手段と
前記修正されたビデオストリームを前記受信先装置へ送信する手段と
を備えることを特徴とする請求項２１に記載のサービスセンター。
【請求項２３】
マルチメディアサービス（ＭＭＳ）の加入者利用を増加させる方法であって、
サービスセンターにおいて、カメラ機能付移動電話から送信されるマルチメディアメッセージに含まれるオリジナル写真を受信する工程と、
前記オリジナル写真を修正する工程と、
前記修正された写真を受信先装置へ送信する工程と
を備えることを特徴とする方法。
【請求項２４】
前記送信する工程の前に、更に、
前記カメラ機能付移動電話へ前記修正された写真を送信する工程と、
前記カメラ機能付移動電話から、前記修正された写真が前記受信先装置へ送信するために選択されていることを示す指示を受信する工程と
を備えることを特徴とする請求項２３に記載の方法。
【請求項２５】
前記修正する工程では、前記オリジナル写真の特徴が強調され、
前記特徴は、視野、倍率、輝度、色、解像度及び透明度を含むグループから選択される
ことを特徴とする請求項２４に記載の方法。
【請求項２６】
前記修正する工程では、画像が前記オリジナル写真に貼り付けられる
ことを特徴とする請求項２４に記載の方法。
【請求項２７】
マルチメディアサービス（ＭＭＳ）の加入者利用を増加させる方法であって、
サービスセンターにおいて、カメラ機能付移動電話から送信されるマルチメディアメッセージに含まれるオリジナル写真を受信する工程と、
前記オリジナル写真を修正する工程と、
前記カメラ機能付移動電話へ前記修正された写真を返信する工程と
を備えることを特徴とする方法。
【請求項２８】
前記カメラ機能付移動電話から、前記修正された写真が指定された受信先装置へ送信するために選択されていることを示す指示を受信する工程と、
前記修正された写真を、前記指定された受信先装置へ送信する工程と
を備えることを請求項２７に記載の方法。
【請求項２９】
前記マルチメディアメッセージを前記サービスセンターへ送信する前の前記オリジナル写真、あるいは前記修正された写真への所望の編集変更を前記カメラ機能付移動電話のユーザに指示させる工程を更に備える
ことを特徴とする請求項２７に記載の方法。
【発明の詳細な説明】
【技術分野】
【０００１】
本発明の背景
本発明は、無線電気通信システムに関するものである。より詳しくは、また、これに限定されるものではなく、本発明は、マルチメディア機能を有する移動電話から送信されるマルチメディアメッセージを自動的に修正するシステム及び方法に関するものである。
【０００２】
図１は、典型的なネットワーク構成のブロックであり、ここでは、マルチメディアメッセージングサービス環境（ＭＭＳＥ）１１が実現されている。マルチメディアメッセージングサービス（ＭＭＳ）は、移動体加入者に、自身のカメラ機能付き移動電話を用いて画像を撮影して、その撮影画像をネットワークを介して他の移動電話あるいは固定電話加入者へ送信することを可能にする。移動体加入者（即ち、ＭＭＳユーザエージェント）１２−１４は、例えば、２Ｇ移動ネットワーク１５、３Ｇ移動ネットワーク１６あるいは外部移動ネットワーク１７や、インターネットあるいは他のＩＰネットワーク１８を介して、ＭＭＳＥにアクセスすることができる。マルチメディアメッセージングセンター（ＭＭＣ）１９は、ＭＭＳリレー（中継器）２０、ＭＭＳサーバ２１、及び受信者がＭＭＳメッセージを取得するまで、そのＭＭＳメッセージを記憶するためのメッセージ記憶装置２２を含んでいても良い。例えば、加入者プロファイル、加入情報あるいは他のホームロケーションレジスタ（ＨＬＲ）情報を記憶する他のユーザデータベース２３が、ＭＭＳリレーに接続されていても良い。ＭＭＳ付加価値サービス（ＶＡＳ）アプリケーション２４も、ＭＭＳリレーに接続されていても良い。外部サーバ２５と有線の電子メールクライアント２６が、インターネット／ＩＰネットワークを介してＭＭＳリレーに接続されていても良い。
【０００３】
図２は、従来のシグナリング（信号送受信）方法を使用して、発信ＭＭＳユーザエージェント（ＭＯ）３１から終端（着信）ＭＭＳユーザエージェント（ＭＴ）３２へ、例えば、写真等のマルチメディアメッセージを送信する場合の、ネットワーク要素間のメッセージフローを示すメッセージフロー図である。ＭＯは、Ｍ−Ｓｅｎｄリクエストメッセージ３３を、ワイヤレスアプリケーションプロトコル（ＷＡＰ）ゲートウェイ／プッシュプロキシ３５を介して、マルチメディアメッセージングセンター（ＭＭＣ）リレー／サーバ３４へ送信することによって、マルチメディアメッセージを発信する。これは、写真に対して必要なデータをＭＯからＭＭＣリレー／サーバへ送信し、Ｍ−Ｓｅｎｄ．ｃｏｎｆ応答メッセージ３６についてのトランザクションコンテキストを提供する。
【０００４】
ＭＭＣリレー／サーバ３４は、Ｍ−Ｎｏｔｉｆｉｃａｔｉｏｎ．ｉｎｄメッセージ３７を、ＷＡＰゲートウェイ３８を介して、ＨＴＴＰ／ＰＵＳＨでＭＴ３２
へ送信する。Ｍ−Ｎｏｔｉｆｉｃａｔｉｏｎ．ｉｎｄメッセージは、マルチメディアメッセージが検索用として利用可能であることをＭＴへ通知する。データコンポーネントとして含まれるものは、ＭＭＣリレー／サーバに記憶されるマルチメディアメッセージのユニバーサルリソースロケータ（ＵＲＬ）である。ＵＲＬは、この特定のＭＴへ配信される特定のメッセージに対するメッセージＩＤとして機能する。ＭＴは、Ｍ−Ｎｏｔｉｆｉｃａｔｉｏｎ．ｉｎｄメッセージが受信されたことを示すＭ−Ｎｏｔｉｆｙ  Ｒｅｓｐｏｎｓｅ．ｉｎｄ３９をＭＭＣリレー／サーバへ送信する。その後、ＭＴがマルチメディアメッセージを検索することを要求する場合、ＭＴは、ＷＳＰ  ＧＥＴ．ｒｅｑメッセージ４０をＭＭＣリレー／サーバへ送信する。検索動作は、提供されているＵＲＬにおけるＷＳＰ／ＨＴＴＰを介して実行される。応答では、ＭＭＣリレー／サーバは、ＭＴへＭ−Ｒｅｔｒｉｅｖｅ．ｃｏｎｆメッセージ４１を送信し、これには、受信する加入者に提示される実際のマルチメディアメッセージを含んでいる。
【０００５】
ＭＭＣリレー／サーバ３４は、ＭＴが実際にマルチメディアメッセージを受信したことを確認するための情報をＭＴ３２からリクエストしても良い。１つの方法としては、マルチメディアメッセージが正常に受信される場合に、専用のＭ−Ａｃｋｎｏｗｌｅｄｇｅ．ｉｎｄメッセージ４２がＭＴからＭＭＣリレー／サーバへ送信される。ＭＭＣリレー／サーバは、オプションとして、配信レポートをＭＯ３１へ返信しても良い。これは、Ｍ−Ｄｅｌｉｖｅｒｙ．ｉｎｄメッセージ４３をＭＯへ送信するためにＨＴＴＰ／ＰＵＳＨ技術を利用して実行されても良い。
【０００６】
上述の特徴にも関わらず、加入者がＭＭＣを利用する回数及び頻度はネットワークオペレータの期待よりも下回っている。多くの場合、加入者はＭＭＳを利用しているが、写真を撮影する環境としては良好ではない。あるいは、加入者は、自身の写真を送信することに関心を寄せることすら考えていない。本発明は、これらの問題を解消し、ＭＭＳの加入者利用を向上することを支援するためのソリューションを提供する。
【０００７】
本発明の要約
それゆえ、本発明の目的は、上述の問題を解決することであり、また、マルチメディア機能を備える移動電話から送信されるマルチメディアメッセージを自動的に修正するシステム及び方法を提供することである。
【０００８】
つまり、一態様では、本発明は、カメラ機能付移動電話から送信されるマルチメディアメッセージに含まれる写真を修正する方法に向けられたものである。この方法は、サービスセンターにおいて、マルチメディアメッセージ内のオリジナル写真を受信する工程と、画像データベースから画像を抽出する工程と、前記オリジナル写真に前記画像を貼り付けることによって、修正された写真を生成する工程とを含んでいる。このマルチメディアメッセージは、更に、前記カメラ機能付移動電話についての位置情報を含み、前記抽出する工程は、前記位置情報を利用して、前記データベースから、前記移動電話の位置に関連する画像を抽出することを含む。この方法は、更に、前記修正された写真を、前記カメラ機能付移動電話へ送信する工程と、前記カメラ機能付移動電話から、前記修正された写真が受信先装置へ送信するために選択されたことを示す指示を受信する工程と、前記修正された写真を前記受信先装置へ送信する工程とを含んでいても良い。
【０００９】
別の態様では、本発明は、カメラ機能付移動電話から送信されるマルチメディアメッセージに含まれる写真を修正する方法に向けられたものである。この方法は、サービスセンターにおいて、前記マルチメディアメッセージ内のオリジナル写真を受信する工程と、前記オリジナル写真の輝度、色、あるいは透明度を強調することによって修正された写真を生成する工程とを含んでいる。
【００１０】
更にまた別の態様では、本発明は、ビデオ機能付移動電話から送信されるマルチメディアメッセージに含まれるビデオストリームを修正するためのマルチメディアメッセージングサービスセンターに向けられたものである。このセンターは、前記ビデオ機能付移動電話からオリジナルビデオストリームを受信する手段と、複数のビデオ画像を記憶するデータベースと、前記オリジナルビデオストリームに前記データベースから抽出される複数の画像を貼り付けることによって、修正されたビデオストリームを生成するビデオマニュピレータとを含んでいる。このセンターは、前記修正されたビデオストリームを、前記ビデオ機能付移動電話へ送信する手段と、前記ビデオ機能付移動電話から、前記修正されたビデオストリームが受信先装置へ送信するために選択されていることを示す指示を受信する手段と、前記修正されたビデオストリームを前記受信先装置へ送信する手段とを含んでいても良い。
【００１１】
実施形態の詳細説明
以下の説明では、限定するものではなく説明のために、例えば、特定の実施形態、回路、信号フォーマット及びその類の仕様の詳細を、本発明の全体理解を提供するために説明する。本発明が、これらの詳細説明とは離れた別の実施形態で実施されても良いことは当業者に明らかであろう。
【００１２】
本発明は、拡張ＭＭＳ＋サービスを提供する。これは、環境条件が写真を撮影するためには適していない場合に特に有用である。例えば、光が十分でなかったり、雨天であったり、あるいは加入者が写真を撮影したい特定の観光地が工事中あるいは改装中である場合である。本発明は、加入者に、適切でない状態下で写真を撮影することを可能にし、かつその写真をＭＭＳ＋サービスプロバイダへ送信することを可能にする。ＭＭＳ＋サービスプロバイダは、自動的に写真を処理して、その画質を改善し、そして、その１つ以上の形式の写真を、確認し承認してもらうために加入者へ返信する。ＭＭＳ＋サービスプロバイダは、写真自身を処理（例えば、関心要素のズーミング、輝度（ブライトネス）、色（カラー）あるいは透明度の調整）したり、あるいは、画像データベースの画像を写真に貼り付けることができる。加入者は、処理済の写真を受け入れてそれを別の加入者へ送信したり、処理済の写真を拒否して、オリジナルの写真を採用するためにそれを破棄したり、あるいは取引（トランザクション）全体をキャンセルすることができる。
【００１３】
一実施形態では、加入者の移動電話は、位置に基づくサービスを介して自身の位置をリクエストし、そして、その位置情報とともに写真をＭＭＳ＋サービスプロバイダへ送信する。この位置情報は、写真を移動電話から送信する前に、適切な方法、例えば、Ｊａｖａ（登録商標）アプリケーションによって写真に貼り付けることができる。ＭＭＳ＋サービスプロバイダは、写真と位置情報を受信すると、ＭＭＳ＋サービスプロバイダは、その位置情報を抽出する。次に、この位置情報は、移動電話から受信した位置に近い承認済のＭＭＳ＋位置に関連付けられたＩＤに変換されても良い。次に、この位置情報、あるいはオプションとしての位置ＩＤは、加入者から受信する写真に適用可能な画像がデータベースに記憶されているかを判定するために、画像のデータベースへアクセスするために使用される。画像が存在する場合、自動処理が実行される。
【００１４】
別の実施形態では、移動電話は、ＭＭＳメッセージを、画像と拡張ＭＭＳ＋サービスをリクエストする指示とともにＭＭＳ＋サービスプロバイダへ送信する。次に、このＭＭＳ＋サービスプロバイダは、位置に基づくサービスを介して、移動電話の位置を取得する。選択的には、据置位置通知（deferred location reporting）が使用され、ＭＭＳ＋サービスプロバイダには、ユーザが拡張ＭＭＳ＋サービスが提供されている識別エリアに進入すると通知がなされる。ＭＭＳ＋サービスプロバイダはこの情報を記憶することで、ＭＭＳ＋サービスプロバイダが移動電話からＭＭＳメッセージを受信する場合に、ＭＭＳ＋サービスプロバイダは移動電話からＭＭＳメッセージを受信し、ＭＭＳ＋サービスプロバイダは受信したＭＭＳメッセージと位置とを関連付けることができる。
【００１５】
一実施形態では、画質の良くない背景の前に人物が存在する写真である場合には、ＭＭＳ＋サービスプロバイダは、前面にある人物を維持しながら、その背景を、通知された位置に適切な高画質の背景画像に置き換えることによって写真を改善することができる。例えば、加入者がエッフェル塔の近くにいることを位置情報が示している場合、そのエッフェル塔の高画質背景画像が選択されて、それが写真に貼り付けられる。その写真は既知の方向で既知の位置から撮影されているので、オリジナルの写真の視野とデータベース内の画像とは極めて類似していなければならない。
【００１６】
追加的には、あるいは選択的には、ＭＭＳ＋サービスプロバイダは、写真を処理して、その色を強調したり、画像を明るくしたり、また、あるいは画像の透明度を改善しても良い。ＭＭＳ＋サービスプロバイダは、２つの画像を比較して、画素単位で輝度差及び色差が最小となるように両者を調整する。加えて、オリジナルの写真の特定エリア、例えば、最前面の人物を含むエリアあるいは、関心点を含むエリアに、ステンシルがマークされても良い。このエリア内では、オリジナルの写真は、データベース内の画像と比較される。オリジナルの写真とデータベース内の画像間の各画素が、色及び輝度に関して比較される。その差分が所定閾値を越える場合、オリジナルの写真から画素の色及び輝度が取得される。そうでなければ、データベースの画像の画素の色と輝度が取得される。このアルゴリズムは、より洗練された、既知のエッジ検出アルゴリズムとともに用いられることで、ステンシルが付加されたエリアと、その写真の残りのエリア間の境界を最小限することができる。
【００１７】
別の実施形態では、ＭＭＳ＋サービスプロバイダは、オリジナルの写真（画像）には存在しなかった付加要素を写真に追加することができる。例えば、公衆が関心のある有名人の画像、例えば、政治家、芸能人、スポーツ界のスター選手及びその類を、オリジナルの写真内の人物の横に配置する方法で、その写真に挿入しても良い。その他の対象の画像を、関心あるいはユーモアを付加するために写真に挿入しても良い。このメカニズムは、単にシルエットをオリジナルの写真にコピーするだけで良い。そのシルエットが挿入される位置は固定であっても良い。あるいは、移動電話を使用して、意図する位置を加入者に指定させること可能にする機能が実現されても良い。例えば、カメラ機能付き移動電話で画像を撮影した後、あるいはプレビュー画像が受信される場合に、移動電話の簡易アプリケーションが起動される。加入者は、カーソルを用いて、画像のシルエットの意図する位置にマークを付ける。この情報は、ショートメッセージサービス（ＳＭＳ）メッセージのような別のデータメッセージを介してＭＭＳ＋サービスプロバイダへ転送されても良い。あるいはそのデータが、画像自身に含まれても良い。ＭＭＳ＋サービスプロバイダは、この情報を検索して、それに従ってシルエットの位置を合わせる。この処理は、選択的には、写真内のステンシルが付加されたエリアを再配置するために使用することもできる。
【００１８】
画像データベースには、様々なカメラの種類あるいはレンズ焦点距離を含んでいても良い。それゆえ、カメラ機能付移動電話では、更に、ＭＭＳ＋サービスプロバイダへ、カメラの種類、レンズ焦点距離、解像度及び写真内の人物との距離のような他の情報を送信することができる。この情報は、ＭＭＳ＋サービスプロバイダに、記憶される視野の情報を利用して、画像を選択し、適切な倍率で写真内に貼り付けることができる。
【００１９】
また、カメラ機能付移動電話では、編集アプリケーションをダウンロードすることができる、そうでなければ、搭載することができる。この編集アプリケーションは、加入者により卓越した編集機能を提供する。編集は電話上で実行することができる。あるいは、アプリケーションによって、加入者は、希望する編集内容をＭＭＳ＋サービスプロバイダへ指示することが可能である。ＭＭＳ＋サービスプロバイダでは、実際の編集を実行し、編集済の写真を確認用に加入者へ返信する。例えば、関心のある特定の建物が写真の背景に存在しているが、その建物が小さすぎるとする。この場合、編集アプリケーションによって加入者は、その写真をクロップ（crop）して、その建物を拡大することができる。そうすることで、前面にある人物に対して、建物をより近くに並んで存在させることができる。ＭＭＳ＋サービスプロバイダが編集を実行する場合には、加入者は、建物にカーソルを置いて、ズームコマンドをクリックする。これにより、写真と編集コマンドがＭＭＳ＋サービスプロバイダへ送信される。ＭＭＳ＋サービスプロバイダは、写真を処理して、それを確認用に加入者へ返信する。広角あるいは魚眼レンズ効果のようなその他の編集及び特殊効果も実行することができる。
【００２０】
図３は、本発明の方法の実施形態のステップを示すフローチャートである。ステップ５１で、生成元移動体加入者（ＭＯ）は、カメラ機能付移動電話を使用して写真を撮影する準備を行う。据置位置通知を利用することで、拡張ＭＭＳ＋サービスを介して、処理した写真を利用可能な位置にＭＯを案内し、かつ画像を利用可能な視野の方向をＭＯへ通知することができる。選択的には、拡張ＭＭＳ＋サービスを介して、処理した写真を利用可能な位置及び視野の方向を識別する場所にマークを付けても良い。ステップ５２で、ＭＯは、カメラ機能付電話で写真を撮影する。ステップ５３で、デフォルトのＭＭＳセンターを介して写真を送信する代わりに、写真を処理することができるＭＭＳ＋センターへ写真が送信される。ＭＯの位置情報は、写真とともに送信される。加えて、ＭＭＳ＋データベースは、様々なカメラタイプあるいはレンズ焦点距離毎に画像を保存していても良い。それゆえ、例えば、カメラタイプ、レンズ焦点距離、写真内の人物との距離のような他の情報が、ＭＭＳ＋センターへ送信されても良い。この情報によって、ＭＭＳ＋センターは、画像を選択して、適切な倍率でその画像を写真に貼り付けることができる。
【００２１】
ステップ５４で、直ちにＭ−Ｎｏｔｉｆｉｃａｔｉｏｎ．ｉｎｄメッセージをＭＴへ送信する代わりに、ＭＭＳ＋センターは、データベースにアクセスし、そのデータベースの画像を用いて写真を処理して、１つ以上のプレビュー版を生成することができる。ＰＣ用の現存の画像あるいはフィルム編集プログラムによって使用される様々な方法をＭＭＳ＋センターによって適用することで、その写真を自動的に処理することができる。ステップ５５で、ＭＭＳ＋センターは、１つ以上のプレビューを、確認用にＭＯへ返信する。このプレビューは１つずつ送信することもできるし、オプションとしては、いくつかのプレビューを１つの画像で送信することもできる。選択的には、説明分を送信しても良い。これによって、ＭＯは、自身が確認したいプレビューを選択することができる。ステップ５６で、ＭＯはプレビューの１つを選択し、それをＭＭＳ＋センターからリクエストする。このリクエストは、ＳＭＳメッセージをＭＭＳ＋センターへ送信することによって行うことができる。ステップ５７で、ＭＭＳ＋センターは、そのリクエストを受信し、そのリクエストによって処理した写真をＭＯへ送信する。ステップ５８で、ＭＯは、処理された写真を受信し、ステップ５９で、それをＭＭＳ＋センターを介してあるいは通常のＭＭＳを介してＭＴへ送信する。
【００２２】
処理中に、ＭＯがサービスに対して課金され得る場面はいくつか存在する。例えば、ユーザは、処理をリクエストするＭＭＳ＋センターへ写真を送信する場合に課金され得る。選択的には、自身が好むプレビューの１つを選択した場合にのみ、ＭＯは、後日課金され得る。
【００２３】
図４は、本発明の技術に従って、例えば、写真のようなマルチメディアメッセージが、拡張ＭＭＳ＋センターで処理され、そして、ＭＯ６１からＭＴ３２へ送信される場合における、ネットワーク要素間のメッセージのフローを示すフロー図である。ＭＯは、ＷＡＰゲートウェイ／プッシュプロキシを介して拡張ＭＭＳ＋センター６３へＭ−Ｓｅｎｄ．ｒｅｑメッセージ６２を送信することによって処理を開始する。本発明では、ＭＯは、Ｍ−Ｓｅｎｄ．ｒｅｑメッセージを編集することで、ＭＯにおける位置情報を含め、オプションとしては、カメラタイプ情報を含める。ＭＭＳ＋センターは、Ｍ−Ｓｅｎｄ．ｃｏｎｆ  ｒｅｓｐｏｎｃｅメッセージ６４を、プレビューが利用可能であることを示す指示とともにＭＯへ返信する。ＭＯは、ＷＳＰ  ＧＥＴ．ｒｅｑメッセージ６５をＭＭＳ＋センターへ送信し、ＭＭＳ＋センターは、ダウンロードしたプレビューを、Ｍ−Ｒｅｔｒｉｅｖｅ．ｃｏｎｆメッセージ６６でＭＯへ送信する。次に、ＭＯは、そのプレビューを確認して、プレビュー選択指示をＭ−Ｓｅｎｄ．ｒｅｑメッセージ６７でＭＭＳ＋センターへ送信する。
【００２４】
次に、ＭＭＳ＋センター６３は、ＨＴＴＰ／ＰＵＳＨによって、Ｍ−Ｎｏｔｉｆｉｃａｔｉｏｎ．ｉｎｄメッセージ６８を、ＷＡＰゲートウェイ３８を介して、ＭＴ３２へ送信する。このＭ−Ｎｏｔｉｆｉｃａｔｉｏｎ．ｉｎｄメッセージは、マルチメディアメッセージが検索することができることをＭＴへ通知するものである。ＭＴは、Ｍ−Ｎｏｔｉｆｉｃａｔｉｏｎ．ｉｎｄメッセージを受信したことを示すＭ−Ｎｏｔｉｆｙ  Ｒｅｓｐｏｎｓｅ．ｉｎｄメッセージ６９をＭＭＳ＋センターへ送信する。その後、ＭＴがマルチメディアメッセージの検索を要求する場合、ＭＴは、ＷＳＰ  ＧＥＴ．ｒｅｑメッセージ７０をＭＭＳ＋センターへ送信する。応答として、ＭＭＳ＋センターは、ＭＯによって送信された処理済の写真を含むＭ−Ｒｅｔｒｉｅｖｅ．ｃｏｎｆメッセージ７１をＭＴへ送信する。次に、ＭＴは、マルチメディアメッセージを正常に受信すると、Ｍ−Ａｃｋｎｏｗｌｅｄｇｅ．ｉｎｄメッセージ７２を、ＭＭＳ＋センターへ送信する。ＭＭＳ＋センターは、オプションとして、配信を行ったことを示すＭ−Ｄｅｌｉｖｅｒｙ．ｉｎｄメッセージ７３をＭＯへ送信しても良い。
【００２５】
図５は、本発明の実施形態の拡張ＭＭＳ＋センターのブロック図である。図４及び図５を参照して、ＭＭＳ＋センターの動作を説明する。ＭＯ６１は、Ｍ−Ｓｅｎｄ．ｒｅｑメッセージ６２を、加入者が撮影した写真とともに、拡張ＭＭＳ＋センター６３へ送信する。本発明では、ＭＯは、このＭ−Ｓｅｎｄ．ｒｅｑメッセージを修正して、ＭＯに対する位置情報を含める、オプションとしては、カメラタイプ情報を含める。ＭＭＳ＋センターは、Ｍ−Ｓｅｎｄ．ｒｅｑメッセージが、通常の転送をリクエストしているか、ＭＭＳ＋サービスをリクエストしているかを決定部８１で判定する。そのメッセージが位置情報を含んでいない場合、決定部は、通常の転送がリクエストされていると判定することができ、そのメッセージと写真は、通常のＭＭＳ転送部８２へ送信される。一方、そのメッセージが位置情報を含んでいる場合、決定部は、ＭＭＳ＋サービスがリクエストされていると判定することができる。この場合、決定部は、そのメッセージを情報抽出部８３へ送信する。情報抽出部は、位置情報を抽出し、それを画像データベース８４にエントリするのに適切なＩＤフォーマットに変換する。Ｍ−Ｓｅｎｄ．ｒｅｑメッセージにカメラタイプも含まれている場合には、そのカメラ情報もデータベースへ送信することができる。
【００２６】
写真と、オプションのカメラタイプは、写真マニュピレータ（処理部）８５へ送信される。写真マニュピレータは、背景画像置換部８６、色、輝度及びシャープネス強調部８７、及び上述の画像挿入部８８を含んでいる。利用可能である場合、画像データベース８４からの画像は写真マニュピレータへ供給される。画像が利用可能である場合、及び／または、他の処理を実行できる場合、写真マニュピレータは、プレビューコントローラ８９へ１つ以上のプレビューが利用可能であることを通知する。プレビューコントローラは、ＭＯ６１へプレビューが利用可能であることを通知し、ＭＯがそれをリクエストする場合、それらをＭ−Ｒｅｔｒｉｅｖｅ．ｃｏｎｆメッセージ６６でＭＯへ送信する。次に、ＭＯは、プレビューを確認し、プレビュー選択指示をＭ−Ｓｅｎｄ．ｒｅｑメッセージ６７でＭＭＳ＋センターへ送信する。次に、図４の６８−７３のステップで示されるように、プレビューコントローラ８９は、リクエストされた写真を、ＭＴ３２へ転送するために通常のＭＭＳ転送部８２へ送信する。
【００２７】
スチル写真（画像）についての上述の処理は、ビデオ及びオーディオシーケンスの少なくとも一方を修正することにも利用することができる。つまり、移動装置によって取得され、ＭＭＳ＋センターへ送信されるストリーミングビデオは、そのビデオの画質を処理あるいは向上するために修正することができる。例えば、観光地の前に人物が立っているショートフィルムを作成する場合には、ＭＭＳ＋センターは、そのフィルムの背景に有名人が現れて通り過ぎるような画像をビデオシーケンスに追加することができる。そのビデオはオーディオ（音声）に関連付けられている場合には、そのオーディオも修正することができる。
【００２８】
当業者には理解されるように、本願発明で説明される革新的な概念は、様々な用途範囲に渡って修正でき、かつ変更できる。従って、特許の請求の範囲の構成要件の範囲は、上述の特定例示技術に制限されるものではなく、添付の請求項によって定義されるものである。
【図面の簡単な説明】
【００２９】
【図１】マルチメディアメッセージングサービス（ＭＭＳ）が実現される典型的なネットワーク構成のブロック図である。
【図２】写真のようなマルチメディアメッセージが、従来のシグナリング方法を使用して、発信ＭＭＳユーザエージェント（ＭＯ）から着信ＭＭＳユーザエージェント（ＭＴ）へ送信される場合の、ネットワーク要素間のメッセージのフローを示すメッセージフロー図である。
【図３】本発明の方法の実施形態のステップを示すフローチャートである。
【図４】本発明の技術に従って、写真のようなマルチメディアメッセージが、拡張ＭＭＳ＋センターによって処理され、そして、ＭＯからＭＴへ送信される場合の、ネットワーク要素間のメッセージのフローを示すフロー図である。
【図５】本発明の拡張ＭＭＳ＋センターの実施形態のブロック図である。
【図１】
2007537525.tif 000003
【図２】
2007537525.tif 000004
【図３】
2007537525.tif 000005
【図４】
2007537525.tif 000006
【図５】
2007537525.tif 000007
【国際調査報告】
2007537525.tif 000008
2007537525.tif 000009
2007537525.tif 000010